(57)【要約】【課題】留め具パーツを簡単に付け替えることができるアクセサリー留め具およびアクセサリーを提供する。【解決手段】表面側に装飾体を取り付けるとともに裏面側にピン、クリップ、チェーンおよびヘアゴムなどの留め具パーツを付替え可能に取り付けるためのアクセサリー留め具１０であって、表面側に装飾体が取り付けられる板状の本体部材１１と、一端部が糸で縫われて本体部材１１の裏面に取り付けられた、かつ、留め具パーツを本体部材１１の裏面側に取り付けるための帯状のリボン状部材１２と、リボン状部材１２の他端部を本体部材１１の裏面に固定したり本体部材１１の裏面から離したりするためのリボン状部材固定手段として機能するリボン側面ファスナー部材１４および本体側面ファスナー部材１３とを具備する。【選択図】図１
2016016066.tif 000002
【特許請求の範囲】
【請求項１】
表面側に装飾体を取り付けるとともに裏面側に留め具パーツを付替え可能に取り付けるためのアクセサリー留め具であって、
表面側に前記装飾体が取り付けられる板状の本体部材（１１）と、
一端部が前記本体部材の裏面に取り付けられた、かつ、前記留め具パーツを該本体部材の裏面側に取り付けるための帯状のリボン状部材（１２）と、
前記リボン状部材の他端部を前記本体部材の裏面に固定したり該本体部材の裏面から離したりするためのリボン状部材固定手段（１３，１４）と、
を具備することを特徴とする、アクセサリー留め具。
【請求項２】
前記リボン状部材固定手段が、
貼付面が前記本体部材側になるように糸で縫われて前記リボン状部材の他端部の表面に取り付けられたリボン側面ファスナー部材（１４）と、
貼付面が前記リボン状部材側となるように前記本体部材の裏面の該リボン状部材の一端部が取り付けられた箇所と対向する箇所に取り付けられた本体側面ファスナー部材（１３）と、
を備えることを特徴とする、請求項１記載のアクセサリー留め具。
【請求項３】
前記本体部材が、前記装飾体の該本体部材への取付面の大きさに応じた大きさとされていることを特徴とする、請求項１または２記載のアクセサリー留め具。
【請求項４】
請求項１乃至３いずれかに記載のアクセサリー留め具を具備することを特徴とする、アクセサリー。
【発明の詳細な説明】
【技術分野】
【０００１】
本発明は、表面側に装飾体を取り付けるとともに裏面側に留め具パーツを付替え可能に取り付けるのに好適なアクセサリー留め具およびそれを用いたアクセサリーに関する。
【背景技術】
【０００２】
従来、装飾品として用いられているアクセサリーは、装飾体（飾り）と留め具パーツ（ピン、クリップ、チェーンおよびヘアゴムなど）とが一体化されているものが多い。
たとえば、留め具パーツとしてヘアゴムを用いたヘアアクセサリーでは、接着剤でヘアゴムを装飾体に接着したり、両者の接合部を構成する金属をカシメてヘアゴムを装飾体に取り付けたりしている。
留め具パーツとしてヘアクリップを用いたヘアアクセサリーでは、接着剤やテグスを用いてヘアクリップを装飾体に取り付けている。
留め具パーツとしてブローチピンを用いたブローチでは、接着剤やテグスを用いてブローチピンを装飾体に取り付けている。
留め具パーツとしてチェーンを用いたネックレスでは、チェーンをバチ環に通して装飾体に取り付けている。
【０００３】
下記の特許文献１には、帯状面ファスナーまたは一端に面ファスナーを付けた二枚重ね綿テープから構成されたアクセサリー面ファスナーが開示されている。
【先行技術文献】
【特許文献】
【０００４】
【特許文献１】実開平５−５８０１３号公報
【発明の概要】
【発明が解決しようとする課題】
【０００５】
しかしながら、装飾体と留め具パーツとが一体化されたアクセサリーでは、留め具パーツをお気に入りの留め具パーツや他の留め具パーツに付け替えるのが大変であるという問題があった。
【０００６】
上記の特許文献１に開示されたアクセサリー面ファスナーは、公報の段落０００７に記載されているように二枚重ね綿テープの下の部分を被服へ縫いつけるか接着剤で貼り付けて使用するもの（すなわち、二枚重ね綿テープの下の部分を留め具パーツとして使用するもの）であるため、被服に縫い目の針穴が開いたり接着剤が付いたりし、一度被服に取り付けると被服を傷めずに取り外すのが非常に困難であり、ネックレスのように首に掛けたりヘアアクセサリーのように髪に付けるものなどには使用できないという問題がある。
【０００７】
本発明の目的は、留め具パーツを簡単に付け替えることができるアクセサリー留め具およびアクセサリーを提供することにある。
【課題を解決するための手段】
【０００８】
本発明のアクセサリー留め具は、表面側に装飾体を取り付けるとともに裏面側に留め具パーツを付替え可能に取り付けるためのアクセサリー留め具であって、表面側に前記装飾体が取り付けられる板状の本体部材（１１）と、一端部が前記本体部材の裏面に取り付けられた、かつ、前記留め具パーツを該本体部材の裏面側に取り付けるための帯状のリボン状部材（１２）と、前記リボン状部材の他端部を前記本体部材の裏面に固定したり該本体部材の裏面から離したりするためのリボン状部材固定手段（１３，１４）とを具備することを特徴とする。
ここで、前記リボン状部材固定手段が、貼付面が前記本体部材側になるように糸で縫われて前記リボン状部材の他端部の表面に取り付けられたリボン側面ファスナー部材（１４）と、貼付面が前記リボン状部材側となるように前記本体部材の裏面の該リボン状部材の一端部が取り付けられた箇所と対向する箇所に取り付けられた本体側面ファスナー部材（１３）とを備えてもよい。
前記本体部材が、前記装飾体の該本体部材への取付面の大きさに応じた大きさとされていてもよい。
本発明のアクセサリーは、本発明のアクセサリー留め具を具備することを特徴とする。
【発明の効果】
【０００９】
本発明のアクセサリー留め具およびアクセサリーは、以下に示す効果を奏する。
（１）リボン状部材を指で摘んでリボン状部材の他端部を本体部材の裏面に固定したり本体部材の裏面から離したりするだけで留め具パーツを取り付けたり取り外したりできるため、留め具パーツを簡単に付け替えることができる。
（２）１つの装飾体に対して色々な留め具パーツを簡単に付け替えられるため、１つの装飾体に複数の装飾品としての役割を持たせることができる。
（３）同じ装飾品として使用する複数の装飾体に対しては留め具パーツが１つあればどの装飾体にも留め具パーツを簡単に取り付けられるため、エコであり経済的である。
（４）装飾体と留め具パーツとの組合せを自由にすることができる。
（５）クリップとピンとが一体となった市販の金属ブローチのように常に２つの留め具パーツを取り付けておく必要がなくなるため、アクセサリーが嵩張ったり重くなったりすることを防ぐことができる。
（６）手持ちのアクセサリーなどにも使用することができる。
【図面の簡単な説明】
【００１０】
【図１】本発明の一実施例によるアクセサリー留め具１０の構成を示す図である。
【図２】図１に示したアクセサリー留め具１０の構成を説明するための図である。
【図３】図１に示したアクセサリー留め具１０のリボン状部材１２の他端部の本体部材１１から取り外し方を説明するための図である。
【図４】図１に示したアクセサリー留め具１０の使用方法について説明するための図である。
【図５】図１に示したアクセサリー留め具１０を用いることのメリットについて説明するための図である。
【発明を実施するための形態】
【００１１】
上記の目的を、留め具パーツを本体部材の裏面側に取り付けるためのリボン状部材の一端部を糸で縫って本体部材の裏面に取り付けるとともに、リボン状部材の他端部を本体部材の裏面に固定したり本体部材の裏面から離したりできるように構成することにより実現した。
【実施例１】
【００１２】
以下、本発明のアクセサリー留め具およびアクセサリーの実施例について図面を参照して説明する。
本発明の一実施例によるアクセサリー留め具１０は、表面側に装飾体を取り付けるとともに裏面側に留め具パーツを付替え可能に取り付けるためのものであって、図１（ａ）〜（ｃ）に示すように、本体部材１１と、リボン状部材１２と、本体側面ファスナー部材１３と、リボン側面ファスナー部材１４とを具備する。
なお、以下の説明では、アクセサリー留め具１０、本体部材１１およびリボン状部材１２の図１（ａ）紙面と反対側の面を「アクセサリー留め具１０、本体部材１１およびリボン状部材１２の表面」と称し、アクセサリー留め具１０、本体部材１１およびリボン状部材１２の同図紙面側の面を「アクセサリー留め具１０、本体部材１１およびリボン状部材１２の裏面」と称する。
また、図１（ａ）は、アクセサリー留め具１０の背面図となっており、図１（ｂ），（ｃ）は、図１（ａ）図示のアクセサリー留め具１０を紙面右側および下側からそれぞれ見た図となっている。
【００１３】
ここで、本体部材１１は、素材がフェルトとされ、形状が直径５０ｍｍおよび厚さ１ｍｍの円板状とされている。
本体部材１１の素材は、フェルトに限らず、革、合皮またはビニール（水中用）などとしてもよい。また、本体部材１１の形状は、円板状に限らず、矩形板状、楕円板状および三角板状などとしてもよい。さらに、本体部材１１の大きさは、装飾体の本体部材１１への取付面（以下、「装飾体の取付面」と称する。）の大きさに応じたものとしてもよい。
【００１４】
装飾体は、布用ボンドや木工用ボンドなどの布用接着剤で本体部材１１に留めたり糸やテグスで本体部材１１に縫われたりすることにより、装飾体の取付面が本体部材１１側とされて、本体部材１１の表面側に取り付けられる（図４（ａ），（ｂ）参照）。
【００１５】
リボン状部材１２は、留め具パーツを引っ掛けてアクセサリー留め具１０の裏面側に取り付けるためのものであって、素材が布とされ、形状が長さ５０ｍｍおよび幅１２ｍｍの帯状とされているとともに、指で摘んで折り曲げることができる程度の可撓性を有する厚さとされている。
リボン状部材１２の素材は、布に限らず、革、合皮またはビニール（水中用）などとしてもよい。また、リボン状部材１２の大きさは、本体部材１１の大きさに応じて変えてもよい。
リボン状部材１２の一端部は、糸で５針ほどリボン状部材１２の幅方向と平行に２列だけ縫われて本体部材１１の裏面の外周部に取り付けられている（図１（ａ）および図２の縫い目ａ参照）。
なお、リボン状部材１２の一端部は、リボン状部材１２の他端部を指で摘んで強く引っ張っても本体部材１１から離れない程度以上の引張力に対する耐性を有するように本体部材１１の裏面の外周部に取り付ければよいため、糸で縫う代わりに、グルーガン、二液性強力接着剤およびアイロン接着テープで本体部材１１の裏面の外周部に取り付けてもよい。
【００１６】
本体側面ファスナー部材１３およびリボン側面ファスナー部材１４は、縦（リボン状部材１２の長手方向）１７ｍｍおよび横（リボン状部材１２の幅方向）１０ｍｍの帯状とされている。
【００１７】
リボン側面ファスナー部材１４は、貼付面が本体部材１１側になるように、糸で５針ほどリボン状部材１２の幅方向と平行に２列だけ縫われてリボン状部材１２の他端部の表面に取り付けられている（図１（ａ）および図２の縫い目ｂ参照）。
本体側面ファスナー部材１３は、貼付面がリボン状部材１２側となるように、布用接着剤を用いてまたは糸で縫われて、本体部材１１の裏面の外周部のリボン状部材１２の一端部が取り付けられた箇所と対向する箇所に取り付けられている。
これにより、リボン状部材１２を指で摘んで伸ばして本体部材１１に近付けると、本体側面ファスナー部材１３とリボン側面ファスナー部材１４とが貼り付いて、リボン状部材１２の他端部を本体部材１１に固定することができる。
また、リボン状部材１２を指で摘んで本体部材１１と反対側に引っ張ってリボン側面ファスナー部材１４を本体側面ファスナー部材１３から剥がすと、リボン状部材１２の他端部を本体部材１１から離すことができる（図３参照）。
【００１８】
次に、アクセサリー留め具１０の使用方法について、図４（ａ），（ｂ）を参照して説明する。
図４（ａ），（ｂ）に左上から留め具パーツとしてループバングル、チェーン、ヘアゴム、ヘアクリップおよびブローチピンを使用したアクセサリーで示すように、布用接着剤で留めたり糸やテグスで縫ったりして装飾体を本体部材１１の表面側に取り付ける。
【００１９】
以下のようにして留め具パーツを本体部材１１の裏面側に取り付ける。
リボン状部材１２を指で摘んで本体部材１１と反対側に引っ張ってリボン側面ファスナー部材１４を本体側面ファスナー部材１３から剥がしてリボン状部材１２の他端部を本体部材１１から離したのち、ループバングル、チェーンおよびヘアゴムのように首に掛けたり手を通したりしてアクセサリーを身体や髪などに取り付けるような留め具パーツ（以下、「ループ状留め具パーツ」と称する。）については、ループ状留め具パーツを本体部材１１とリボン状部材１２との間に通し、ヘアクリップやブローチピンのように髪や服などに挟んだり刺したりしてアクセサリーを取り付けるような留め具パーツ（以下、「挟持・刺持タイプ留め具パーツ」と称する。）については、リボン状部材１２を挟むようにして挟持・刺持タイプ留め具パーツの一部（たとえば、ヘアクリップでは一対のクリップ片の一方、ブローチピンではピン針）を本体部材１１の裏面とリボン状部材１２との間に通す。
続いて、リボン状部材１２を指で摘んで伸ばして本体部材１１に近付けて本体側面ファスナー部材１３とリボン側面ファスナー部材１４とを貼り付かせてリボン状部材１２の他端部を本体部材１１に固定して、ループ状留め具パーツまたは挟持・刺持タイプ留め具パーツをリボン状部材１２に引っ掛けて抜けないようにする。
このとき、挟持・刺持タイプ留め具パーツについては、挟持・刺持タイプ留め具パーツがずれないように、本体部材１１とリボン状部材１２とで挟持・刺持タイプ留め具パーツを強く挟むように、リボン側面ファスナー部材１４を本体側面ファスナー部材１３に貼り付ける位置を調整する。
【００２０】
次に、アクセサリー留め具１０を用いることのメリットについて、種々の具体的な従来のアクセサリー（以下、「従来品」と称する。）と比べて説明する。
（１）ヘアアクセサリー（図５の上段の左の図参照）
装飾体とヘアゴムとが一体化されている従来品では、ヘアゴムの太さや色を変えることができないとともに、ヘアゴムで髪を結ぶ際に装飾体が意に沿わない位置に来てしまっても、装飾体をヘアゴムに対して移動できないため、意に沿った位置（たとえば、中央）にきちんと収めることが難しい。
これに対して、アクセサリー留め具１０を用いた場合には、ヘアゴムを装飾体から取り外すことができるため、用途に応じた太さや色のヘアゴムに変えることができるとともに、ヘアゴムを装飾体に対して移動可能に取り付けることができるため、ヘアゴムで髪を結んだ後でも装飾体を手で自由に移動させて意に沿った位置にきちんと収めることができる。
【００２１】
（２）ヘアアクセサリー（図５の上段の中央の図参照）
装飾体とヘアクリップとが一体化されている従来品は、異なるサイズや色のヘアクリップに付け替えることができない。
これに対して、アクセサリー留め具１０を用いた場合には、ヘアクリップを装飾体から取り外すことができるため、用途に応じたサイズや色のヘアクリップに付け替えることができる。また、ヘアクリップのサイズに合わせてリボン側面ファスナー部材１４を本体側面ファスナー部材１３に貼り付ける位置を調節することにより、ヘアクリップを本体部材１１にフィットさせることができる。
【００２２】
（３）ブローチ（図５の上段の右の図参照）
接着剤やテグスで装飾体とブローチピンとが一体化されている従来品では、異なるサイズや色のブローチピンに付け替えることができない。
これに対して、アクセサリー留め具１０を用いた場合には、ブローチピンを装飾体から取り外すことができるため、用途に応じたサイズや色のブローチピンに付け替えることができる。
【００２３】
（４）ネックレス（図５の中段の左の図参照）
バチ環にチェーンを通す従来品では、太さがバチ環の径よりも大きいチェーンに付け替えることができない。
これに対して、アクセサリー留め具１０を用いた場合には、太さが大きいチェーンでも本体部材１１とリボン状部材１２との間を通すことができるため、種々の太さのチェーンに付け替えることができる。
また、リボン状部材１２の縫い目ａの方を上にしてチェーンを本体部材１１とリボン状部材１２との間に通すことにより、ネックレスを首に掛けたときにチェーンは縫い目ａに引っ掛かった状態となるため、リボン状部材１２の両端を面ファスナーで本体部材１１に取り付けたものよりも引張力に対する耐性を大きくでき、ネックレスが引っ張られてもチェーンがアクセサリー留め具１０から簡単に抜けないようにすることができる。
【００２４】
（５）鞄の取っ手に取り付けるアクセサリー（図５の中段の中央の図参照）
グローブホルダー、バッグチャームおよびストラップなどのジョイントパーツと共に使用される従来品では、見た目がすっきりせず、嵩張り、少し重くなるなどのデメリットがある。
これに対して、アクセサリー留め具１０を用いた場合には、取っ手を本体部材１１とリボン状部材１２との間に通して取り付けることができるため、ジョイントパーツを使用する必要がなくなるとともに、見た目がすっきりする、嵩張らなし、軽いというメリットがある。また、鞄の取っ手がループ状になっていても、本体部材１１とリボン状部材１２との間に取っ手を通してアクセサリーを直接取り付けることができる。
【００２５】
（６）ループバングルの飾りとしてのアクセサリー（図５の中段の右の図参照）
従来品では、ループバングルに装飾体（飾り）を取り付ける場合には道具（ペンチや丸カンなど）やある程度の技術が必要である。
これに対して、アクセサリー留め具１０を用いた場合には、リボン状部材１２の他端部を指で摘んで本体部材１１の裏面に固定したり本体部材１１の裏面から離したりするだけでループバングルに装飾体（飾り）を取り付けることができるため、誰でも簡単に取り付けることができる。
【００２６】
（７）リボンが縫い付けられていないデザインの帽子用のアクセサリー（図５の下段の左の図参照）
ブローチピンを帽子のリボンに刺してアクセサリーを取り付ける従来品では、リボンに針穴が開いてしまうため、アクセサリーを何度も取り替えることがでない。
これに対して、アクセサリー留め具１０を用いた場合には、帽子のリボンを本体部材１１とリボン状部材１２との間に通してアクセサリーを取り付けることができるため、リボンに針穴を開ける心配をすることなくアクセサリーを何度でも取り替えることができる。
【００２７】
（８）リングの飾りとしてのアクセサリー（図５の下段の中央の図参照）
従来品では、リングに装飾体（飾り）を取り付けて装飾しようとしても、装飾用の変形リング（リング台カン付、リング台丸皿およびリング台ハーフなど）を用意するか、道具（ペンチや丸カンなど）および高度な技術（ロウ付けなど）が必要になるため、簡単にはできない。
これに対して、アクセサリー留め具１０を用いた場合には、リングを本体部材１１とリボン状部材１２との間に通せばよいため、装飾用の変形リングは必要なく、シンプルなループ状のリングであっても誰でも簡単に装飾体（飾り）を取り付けて装飾することができる。
【００２８】
（９）着物の帯締めに取り付けるアクセサリー（図５の下段の右の図参照）
従来品では、アクセサリーを一度装着すると、帯締めを解かなければ取り替えることができない。
これに対して、アクセサリー留め具１０を用いた場合には、リボン状部材１２の他端部を指で摘んで本体部材１１の裏面に固定したり本体部材１１の裏面から離したりするだけでアクセサリーを取り付けたり取り外したりできるため、取り付けたアクセサリーがイメージと合わなかったときには、帯締めを解かなくてもアクセサリーを取り替えることができる。また、着物と同じ布地で装飾体を造ることにより、着物とセットのアクセサリーを作ることができる。
【符号の説明】
【００２９】
１０  アクセサリー留め具
１１  本体部材
１２  リボン状部材
１３  本体側面ファスナー部材
１４  リボン側面ファスナー部材
ａ，ｂ  縫い目
【図１】
2016016066.tif 000003
【図２】
2016016066.tif 000004
【図５】
2016016066.tif 000005
【図３】
2016016066.tif 000006
【図４】
2016016066.tif 000007